(57)【要約】【課題】  １枚のゴミ袋にボトル本体とキャップとを別々に分離させた状態で収容させることができると共に、ボトル本体収容部とキャップ収容部とを切り離すことができるようにして、ボトル本体とキャップとを分離収集させることができるようにしたペットボトル用ゴミ袋の提供。【解決手段】  一端に開口部２が形成されると共に他端に底部３が形成された筒状プラスチックフィルムによるゴミ袋本体１に開口縁２０から底縁３０に至る区画シール部４が該ゴミ袋本体の一側に片寄った位置に形成され、この区画シール部によって前記ゴミ袋本体がボトル本体収容部である大容量袋部１ａと、この大容量袋部よりも容量が小さいキャップ収容部である小容量袋部１ｂとに区画され、前記区画シール部に大容量袋部と小容量袋部とを切り離すためのミシン目線５が形成されている。【選択図】  図１
2009012888.tif 000002
【特許請求の範囲】
【請求項１】
一端に開口部（２）が形成されると共に他端に底部（３）が形成された筒状プラスチックフィルムによるゴミ袋本体（１）に開口縁（２０）から底縁（３０）に至る区画シール部（４）が該ゴミ袋本体（１）の一側に片寄った位置に形成され、
この区画シール部（４）によって前記ゴミ袋本体（１）がボトル本体収容部である大容量袋部（１ａ）と、この大容量袋部（１ａ）よりも容量が小さいキャップ収容部である小容量袋部（１ｂ）とに区画され、
前記区画シール部（４）に大容量袋部（１ａ）と小容量袋部（１ｂ）とを切り離すためのミシン目線（５）が形成されていることを特徴とするペットボトル用ゴミ袋。
【発明の詳細な説明】
【技術分野】
【０００１】
本発明は、ペットボトルをボトル本体とキャップとに分離して収容できるようにしたペットボトル用ゴミ袋に関する。
【背景技術】
【０００２】
近年、ゴミ処理の効率化やリサイクル等を目的として各自治体においてゴミの分別収集が推奨され実行されている。
このうち清涼飲料水などの容器として広く利用されているペットボトルについても使用後は繊維や家庭用品などさまざまなものにリサイクルできる大切な資源として取り扱われている。
この使用後のペットボトルをゴミとして廃棄（ゴミ出し）する場合、ボトル本体からキャップを外してボトル本体とキャップを別々に分離収集するのが一般的で、この場合、ボトル本体は専用のペットボトル用ゴミ袋に収容させ、キャップは通常の可燃ゴミとして可燃用ゴミ袋に収容させるようになっている。
【０００３】
従来のペットボトル用ゴミ袋は、ペットボトル用のゴミ袋であることが判別できるように袋の表面に「ペットボトル用」の文字を印刷したり、袋の色や印刷の色を変えたりするなどしたもので、構造的には公知のゴミ袋と同様に、一端に開口部が形成されると共に他端に底部が形成されたプラスチック筒状体によるゴミ袋に形成されていた。
【０００４】
なお、ペットボトル用ゴミ袋として、ミシン目をゴミ袋の上側縁に沿って設けたものが知られているが（特許文献１参照）、このゴミ袋には、区画シール部によってゴミ袋本体をボトル本体収容部である大容量袋部と、この大容量袋部よりも容量が小さいキャップ収容部である小容量袋部とに区画させてボトル本体とキャップとを別々に分離させた状態で収容させる構成の記載はなく、その目的及び構成は本発明のペットボトル用ゴミ袋とは全く相違する。
【特許文献１】特許公開２００５−２１９８４１号公報
【発明の開示】
【発明が解決しようとする課題】
【０００５】
このように、ペットボトルをボトル本体とキャップとに分離収集させる場合、ボトル本体については専用のペットボトル用ゴミ袋に収容させていけばよいが、キャップについては専用のゴミ袋がないため、可燃用ゴミ袋に捨てるようにしている。
このため、ペットボトルをゴミとして廃棄するには、ボトル本体用ゴミ袋とキャップ用ゴミ袋との２枚の別々のゴミ袋が必要となるし、また、キャップ用のゴミ袋が近くにない場合には、ボトル本体用から外したキャップをキャップ用のゴミ袋の置き場所まで持って行き、そこで捨てるという面倒な手間がかかるという問題があった。
【０００６】
本発明は、ゴミ袋本体にボトル本体収容部とキャップ収容部とを区画形成させることで、１枚のゴミ袋にボトル本体とキャップとを別々に分離させた状態で収容させることができると共に、その分離収容作業を手元に置いた１枚のゴミ袋を用いて行なえるようにすることでボトル本体から外したキャップを別のゴミ袋に捨てに行くといった面倒な手間を省くことができるようにする。
また、ボトル本体収容部とキャップ収容部とを切り離すことができるようにして、ボトル本体とキャップとを分離収集させることができるようにしたペットボトル用ゴミ袋を提供することを課題としている。
【課題を解決するための手段】
【０００７】
上記課題を解決するために、本発明（請求項１）のペットボトル用ゴミ袋は、
一端に開口部（２）が形成されると共に他端に底部（３）が形成された筒状プラスチックフィルムによるゴミ袋本体（１）に開口縁（２０）から底縁（３０）に至る区画シール部（４）が該ゴミ袋本体（１）の一側に片寄った位置に形成され、
この区画シール部（４）によって前記ゴミ袋本体（１）がボトル本体収容部である大容量袋部（１ａ）と、この大容量袋部（１ａ）よりも容量が小さいキャップ収容部である小容量袋部（１ｂ）とに区画され、
前記区画シール部（４）に大容量袋部（１ａ）と小容量袋部（１ｂ）とを切り離すためのミシン目線（５）が形成されている構成とした。
【０００８】
なお、上記カッコ内の符号は、後述する実施例に記載した具体的手段との対応関係を示すものである。
【発明の効果】
【０００９】
本発明のペットボトル用ゴミ袋は、ゴミ袋本体がボトル本体収容部である大容量袋部と、この大容量袋部よりも容量が小さいキャップ収容部である小容量袋部とに区画されている。
したがって、ペットボトルをゴミとして捨てる場合、本発明のペットボトル用ゴミ袋を手元に置き、ボトル本体から外したキャップを小容量袋部に収容させ、キャップを外したボトル本体を大容量袋部に収容させることができる。
即ち、１枚のゴミ袋にボトル本体とキャップとを別々に分離させた状態で収容させることができると共に、その分離収容作業を手元に置いた１枚のゴミ袋を用いて行なうことができ、ボトル本体から外したキャップを別のゴミ袋に捨てに行くといった面倒な手間を省くことができる。
【００１０】
また、各家庭からの廃棄（ゴミ出し）に際し、大容量袋部（ボトル本体収容部）と小容量袋部（キャップ収容部）とをミシン目線によって切り離すことができる。
即ち、ボトル本体収容部とキャップ収容部が満杯になったときには、ミシン目線によってボトル本体収容部とキャップ収容部とをミシン目線によって切り離せば、ボトル本体を専用のゴミ袋に収容させ、これとは別にキャップを専用のゴミ袋に収容させた状態と同様になり、ボトル本体とキャップを別々に分離収集させることができる。
【００１１】
なお、現在では殆どの自治体においてキャップを可燃ゴミとして廃棄させるようにしているため、キャップを収容した小容量袋部（キャップ収容部）は可燃用ゴミ袋に入れて廃棄（ゴミ出し）することになるが、このキャップの素材はポリプロピレンであり、建材としてリサイクルさせるなどの技術が開発されている。
そこで将来的には、キャップを可燃ゴミとしてではなく、リサイクル資源として回収することも考えられ、このような場合、キャップを収容した小容量袋部（キャップ収容部）のまま廃棄（ゴミ出し）することも可能である。
また、各家庭からの廃棄（ゴミ出し）に際し、ボトル本体収容部とキャップ収容部とをミシン目線によって切り離すことなく、ミシン目線を介して連結させた状態のまま廃棄させ、これを収集した後、収集業者やリサイクル業者の手でボトル本体収容部とキャップ収容部とにミシン目線によって切り離すようにしてもよい。
【発明を実施するための最良の形態】
【００１２】
図１は本発明の第１実施例にかかるペットボトル用ゴミ袋Ａの正面図である。
このペットボトル用ゴミ袋Ａは、ポリエチレン樹脂からなる筒状プラスチックフィルムにより形成されたもので、一端に開口部２が形成されると共に他端に熱シールにより閉鎖された底部３が形成されることでゴミ袋本体１が形成されている。
【００１３】
このゴミ袋本体１には、開口縁２０から底縁３０に至る区画シール部４が該ゴミ袋本体１の一側（図１では図面右側）に片寄った位置にその一側縁１１と平行に形成されている。
この区画シール部４によって前記ゴミ袋本体１がボトル本体収容部である大容量袋部１ａと、この大容量袋部１ａよりも容量が小さいキャップ収容部である小容量袋部１ｂとに区画されている。
なお、図中２ａは大容量袋部１ａの開口部、３ａは大容量袋部１ａの底部、又、２ｂは小容量袋部１ｂの開口部、３ｂは小容量袋部１ｂの底部である。
【００１４】
この場合、ゴミ袋本体１のサイズは、前記大容量袋部１ａに２リットル用ペットボトルのボトル本体が潰し状態で概ね２０本程度収容でき、又、小容量袋部１ｂにキャップが概ね２０個程度収容できるようなサイズに形成されている。
なお、ゴミ袋本体１のサイズは適宜に決定できるものであるが、通常は大容量袋部１ａに収容できるボトル本体の本数と、小容量袋部１ｂに収容できるキャップの個数が同数程度になるように形成する。
【００１５】
前記区画シール部４には大容量袋部１ａと小容量袋部１ｂとを切り離すためのミシン目線５がゴミ袋本体１の開口縁２０から底縁３０に至るように形成されている。
この実施例では、前記区画シール部４を約１ｃｍ幅で帯状シール面（図１において平行斜線で示す）に形成させ、この帯状シール面の上にミシン目線５を形成させている。
【００１６】
図２は本発明の第２実施例にかかるペットボトル用ゴミ袋Ｂの正面図である。
このペットボトル用ゴミ袋Ｂは、両側部にマチ部２ｃ，２ｄが折り込まれたマチ付き筒状プラスチックフィルムによりゴミ袋本体１が形成されたもので、片側のマチ部２ｃはボトル本体収容部である大容量袋部１ａの側部（図２では図面左側）に形成され、他方のマチ部２ｄはキャップ収容部である小容量袋部１ｂの側部（図２では図面右側）に形成されている。
なお、その他の構成は前記第１実施例と同様である。
【００１７】
図３は本発明の第３実施例にかかるペットボトル用ゴミ袋Ｃの正面図である。
このペットボトル用ゴミ袋Ｃは、ボトル本体収容部である大容量袋部１ａの開口部２ａに両側延長片２ｅ，２ｅと中央フラップ片２ｆが形成され、かつ底部３ａに把持用延長片３ｇ，３ｇが形成されたものである。
この実施例では、区画シール部４が約１ｃｍの間隔を保持してゴミ袋本体１の開口縁２０から底縁３０に至るように平行に形成した２本のシール線４ａ，４ａによって形成され、この２本のシール線４ａ，４ａの間隔内にミシン目線５が形成されている。
この第３実施例のように両側延長片２ｅ，２ｅや中央フラップ片２ｆや把持用延長片３ｇ，３ｇを形成した場合に、前記第２実施例のように、マチ部が折り込まれたマチ付き筒状プラスチックフィルムによりゴミ袋本体を形成することができるのは勿論である。
なお、その他の構成は前記第１実施例と同様である。
【００１８】
本発明のペットボトル用ゴミ袋の包装形態としては、数枚のゴミ袋本体を積層状態に束ねた積層状ゴミ袋でもよいし、多数枚のゴミ袋本体を切込破線により一連に連結させた連続袋体をロール状に巻き取ったロール状ゴミ袋でもよい。
【００１９】
また、前記区画シール部はペットボトル用ゴミ袋の製造過程において筒状プラスチックフィルムの送り途中に設けた表裏のロール状ヒータ間に該筒状プラスチックフィルムを通して熱溶着させることにより形成するようにしている。
又、前記ミシン目線は区画シール部を形成させた後、該区画シール部を破線状ロール刃とゴムローラの間に通して破線状の切れ目を入れることにより形成するようにしている。
【図面の簡単な説明】
【００２０】
【図１】本発明の第１実施例にかかるペットボトル用ゴミ袋の正面図である。
【図２】本発明の第２実施例にかかるペットボトル用ゴミ袋の正面図である。
【図３】本発明の第３実施例にかかるペットボトル用ゴミ袋の正面図である。
【符号の説明】
【００２１】
１  ゴミ袋本体
１ａ  大容量袋部
１ｂ  小容量袋部
１１  一側縁
２  開口部
２０  開口縁
３  底部
３０  底縁
４  区画シール部
５  ミシン目線
Ａ  ペットボトル用ゴミ袋
Ｂ  ペットボトル用ゴミ袋
Ｃ  ペットボトル用ゴミ袋
【図１】
2009012888.tif 000003
【図２】
2009012888.tif 000004
【図３】
2009012888.tif 000005